(57)【特許請求の範囲】
【請求項１】
１枚の反発性を有する樹脂板からなるシートであって、
このシートに平行関係にある折り目をｎ個（但しｎは５以上の奇数であって、同一直線上または同一直線近傍に位置する折り目は１個とカウントする。）形成することにより設けられるｎ＋１個の支柱部と、
上記折り目上に第１の接続機構と第２の接続機構とを設け、
上記シートの両端部に位置する支柱部同士は上記第１の接続機構を介して接続することにより２枚重ねの状態になり、
上記両端部以外の隣接する支柱部同士は上記第２の接続機構を介して接続及び上記第１の接続機構が接続することにより２枚重ねの状態になるように構成したことを特徴とするかつらスタンド。
【請求項２】
隣接する上記支柱部は上記折り目に対して線対称に形成されていることを特徴とする請求項１に記載のかつらスタンド。
【請求項３】
上記２枚重ねの状態になった支柱部の反発力を抑制すべく当該支柱部の上部に固定部材を着脱自在に設けたことを特徴とする請求項１または請求項２に記載のかつらスタンド。
【請求項４】
上記支柱部の下部に形成される脚部を着脱自在に装着する装着機構が上面に設けられた台座部を具備したことを特徴とする請求項１乃至請求項３記載のかつらスタンド。
【請求項５】
上部が内方へ指向するよう形成され、上記台座部の上面部外周部に設けられた補助部材装着機構を介して着脱自在に装着される補助部材を具備したことを特徴とする請求項４記載のかつらスタンド。
【請求項６】
上面部に携帯用把手部が設けられ、側面下部が上記台座部の側面部に着脱自在に装着されるケース体を具備したことを特徴とする請求項４または請求項５に記載のかつらスタンド。
【発明の詳細な説明】
【技術分野】
【０００１】
本発明は、１枚の樹脂板からなるシートを折り曲げることにより組立てるかつらスタンド、特に、反発性を有する樹脂板を２枚重ねにすることにより組立てられ、且つ容易に分解可能なかつらスタンドに関する。
【背景技術】
【０００２】
従来、かつら等を載置したり収納したりする器具については、例えば組立て式収納ケース等、種々の提案がなされている。
【０００３】
特開２００８−１１４９２２号公報（下記特許文献１）には、シートを折り目に従って折り曲げて収納ケース用の部材とし、この部材に形成された係合部及び被係合部が相互に係合して組み立てられる組立て式収納ケースであって、断面が円形または多角形であり収納物を覆う筒状の本体と、上記収納物を載せる支柱とを有し、この支柱がシートを折り目に従って折り曲げた部材に形成された係合部及び被係合部が相互に係合して組立てられることにより、例えば厚さ１ｍｍ未満の素材を用いても変形し難く、収納ケース本体だけでなく収納物を載せる支柱を折り畳んでコンパクトにして搬送することができるうえ、使わないときに収納スペースを節約できる組立て式収納ケースが提案されている。
【０００４】
しかし、特許文献１に記載された収納ケースは、シートを折り目に従って折り曲げる組立て式収納ケースではあるが、これに用いる支柱（かつらスタンド）は、Ｌ字状に折り曲げた２枚のシートを組み合わせるため、上下方向から挟み込んで固定する必要があるうえ、支柱上部に表面積が大きく人工毛髪が植毛されたかつらを安定して確実に支えるためには、強度を確保するために厚みが０．８ｍｍ以上の樹脂シートを使用する必要があった。但し、強度を重視し過ぎるとその分厚みも厚くなり、重くなり、また樹脂シートの反発性から組み立て性が悪くなる虞があった。
【０００５】
実用新案登録第３０５４４６８号公報（下記特許文献２）には、底面部内面にかつら用台座を固定するための固定部材が設けられているかつら収納ケースが開示されている。このかつら収納ケースは、１枚のシートを、これに形成された折り目に沿って折り曲げることにより組み立てられるものである。
【０００６】
また特開２００１−３２１７号公報（下記特許文献３）には、未使用時にはコンパクトに折り畳むことのできるかつら収納ケースが開示されている。
しかし、これらの収納ケースはかつらを載置する支柱を収納して持ち運ぶ際に使用するものであり、組み立て式の支柱自体は、これらには一切開示されていない。
【０００７】
実開平７−１５７２６号公報（下記特許文献４）には、ケース本体と蓋体からなり、収納物品の載置台をケース本体の底部に設けたかつらなどの収納ケースが開示されている。また特開２００２−１５５４１３号公報（下記特許文献５）には、かつらを保持する保持部からなる携帯用かつら保持具とこれを収納する収納ケースが開示されている。しかし、これらに開示されている載置台や保持具、及び収納ケースは組み立て式のものではなく、これを保管するためには広い収納スペースが必要であり、また搬送が煩雑であった。
【０００８】
特開２００３−４７５４４号公報（下記特許文献６）には、所定の柱状の形状に組み立て可能な本体部と、本体部の所定の部位に係止されるフランジ部とからなるかつら載置用スタンドが開示されている。しかしこのかつら載置スタンドは、組み立てた際に中が空洞の柱状となることから安定性が悪く、別途固定部材を設けたりする必要があった。
【０００９】
実開昭５２−１０４８４号公報（下記特許文献７）には、底部材とこれに装着される折り畳み自在な支持部材からなる、かつら等の収納容器が開示されている。この収納容器は合成樹脂等の素材を基材とし、これに形成された折れ線に沿って組み立てて使用するものである。しかし、この収容容器を形成する支持部材は略四角形の筒状であり、中が空洞となっていることから安定性が悪く、また強度を保つためには基材の厚みを厚くする必要があった。
【００１０】
実開昭５７−２８５９号公報（下記特許文献８）には、平面Ｖ型、Ｗ型等の２つの台脚素材の上半部または下半部に設けられた縦切条同士を係合して組み立てる、陳列台の補強台脚が開示されている。しかしこの補強台脚は２つの台脚素材を組み合わせるために、上下若しくは左右方向からこれを固定する必要があった。
【先行技術文献】
【特許文献】
【００１１】
【特許文献１】特開２００８−１１４９２２号公報
【特許文献２】実用新案登録第３０５４４６８号公報
【特許文献３】特開２００１−３２１７号公報
【特許文献４】実開平７−１５７２６号公報
【特許文献５】特開２００２−１５５４１３号公報
【特許文献６】特開２００３−４７５４４号公報
【特許文献７】実開昭５２−１０４８４号公報
【特許文献８】実開昭５７−２８５９号公報
【発明の開示】
【発明が解決しようとする課題】
【００１２】
本発明は、上記事情を考慮してなされたもので、上述の不具合を解消し、反発性を有する樹脂シートの厚みを増すことなく強度を確保し安定してかつらを載置できるとともに、組立及び分解が容易で携帯性に優れたかつらスタンドを提供することを目的とする。
【課題を解決するための手段】
【００１３】
本発明は、上記目的を達成するために以下の通りの構成とすることを特徴とする。
【００１４】
（１）１枚の反発性を有する樹脂板からなるシートであって、このシートに平行関係にある折り目をｎ個（但し、ｎは５以上の奇数であり、同一直線上または同一直線近傍に位置する折り目は合わせて１個とカウントする。）形成することにより設けられるｎ＋１個の支柱部と、上記折り目上に接続機構とを設け、上記シートの両端部に位置する支柱部同士は上記接続機構を介して接続することにより２枚重ねの状態になり、上記両端部以外の隣接する支柱部同士は上記接続機構を介して接続することにより２枚重ねの状態になるように構成した。
【００１５】
（２）１枚の反発性を有する樹脂板からなるシートであって、このシートに平行関係にある折り目を５つ以上（但し、同一直線上または同一直線近傍に位置する折り目は合わせて１つとカウントする。）形成することにより設けられる６つ以上の支柱部と、上記折り目上に接続機構とを設け、上記シートの両端部に位置する支柱部同士は上記接続機構を介して接続することにより２枚重ねの状態になり、上記両端部以外の隣接する支柱部同士は上記接続機構を介して接続することにより２枚重ねの状態になるように構成した。
【００１６】
（３）上記（１）または（２）の構成にあって、隣接する上記支柱部は上記折り目に対して線対称に形成されるよう構成した。
【００１７】
（４）上記（１）、（２）または（３）の構成にあって、上記２枚重ね状態になった支柱部の反発力を抑制すべく当該支柱部の上部に例えば円形状若しくは楕円形状の固定部材を着脱可能に設けた構成とした。
【００１８】
（５）上記（１）乃至（４）の構成にあって、上記支柱部の下部に形成される脚部を着脱自在に装着する装着機構が上面部に設けられた台座部を具備した構成とした。
【００１９】
（６）上記（５）の構成にあって、上部が内方へ指向するよう形成され、上記台座部の上面部外周部に設けられた補助部材装着機構を介して着脱自在に装着される補助部材を具備した構成とした。
【００２０】
（７）上記（５）または（６）の構成にあって、上面部に携帯用の把手部が設けられ、側面下部が上記台座部の側面部に着脱自在に装着されるケース体を具備した構成とした。
【００２１】
（８）上記１枚の反発性を有する樹脂板からなるシートは、その厚みを０．８ｍｍ未満とした。
【００２２】
（９）上記１枚の反発性を有する樹脂板は例えばポリプロピレン製またはこれに準じて反発性を有するものとした。
【００２３】
（１０）上記支柱部の上部に切欠き部を形成し、当該切欠き部にはかつらをピン留めするためのピン受け部材が着脱自在に装着されるよう構成した。
【００２４】
上記構成によれば、反発性を有する樹脂シートの厚みを増すことなく強度を確保しつつ、安定してかつらを載置できる。また、組立及び分解が容易で携帯性にも優れるかつらスタンドを供することができる。
【００２５】
特に、シートを折り曲げた横断面が略Ｌ字状の部材同士（支柱部）はその上部及び下部が繋がっており、当該略Ｌ字状の部材同士を重ね合わせた２枚重ね構造からなるので十分な強度が保たれ、従来のように上下方向から挟み込んで固定する必要がないうえ、例えば厚みが０．８ｍｍ未満のＰＰ製（ポリプロピレン製）であっても、変形し難いうえ、このかつらスタンドがシートを折り目に従って折り曲げた部材の一部に形成される接続機構を介して組立てられているので、かつらの形状を保ちつつ収納することができる。また、例えば厚みが０．８ｍｍ未満のＰＰ製の素材を使用できるので、直角以上の深い角度まで折り曲げることができ、折り畳んでコンパクトにして梱包して搬送することができるうえ、使わないときに収納スペースを節約できる。また、２枚重ねの状態になった支柱部の横断面の形状が放射状なので、水平方向に曲げ応力が働いた場合の断面係数を大きくすることができるので、変形し難いかつらスタンドを提供することができる。
【００２６】
また、支柱部の上部に、これを保持する円形または楕円形の固定部材を有するので、かつらスタンドを変形させることなくかつらを容易に載せることができる。
【００２７】
さらに、支柱部を固定する台座部を有しており、この台座部は上面、底面及び側面を有する箱構造であるため強度が高く変形し難いうえ、かつらスタンドの形状を安定させることができるうえ、台座部上面に支柱部の端部（脚部）を差し込んで固定する受け穴機構（装着機構）を有するので、支柱部を着脱自在に台座に固定することができる。
【発明の効果】
【００２８】
本発明によれば、樹脂シートの厚みを増すことなく適度な強度を確保しつつ安定してかつらを載置できるとともに、組立及び分解が容易で且つ携帯性に優れるという効果を奏する。
【００２９】
より具体的には、収納物を載置するかつらスタンドの構造を工夫することにより、従来のように上下方向から挟み込んで固定する必要がないうえ、厚みが０．８ｍｍ未満の樹脂シートを使用することができるうえ、折り畳んでコンパクトにして搬送することができ、使わないときには収納スペースを節約できる、という効果を奏する。即ち、例えば厚みが０．８ｍｍ未満のポリプロピレン（ＰＰ）製のかつらスタンドであっても、変形し難いうえ、かつらの形状を保ちつつ収納することができる。また、例えば厚みが０．８ｍｍ未満の反発性を有するＰＰ製の素材を使用できるので、直角以上の深い角度まで折り曲げることができ、折り畳んでコンパクトにして梱包して搬送することができるうえ、使わないときには収納スペースを節約できる。また、かつらを変形させることなく容易に載置することができ、変形し難いうえ、安定性が良く転倒し難いかつらスタンドを提供することができる。さらに、かつらスタンドの形状を安定させることができるうえ、支柱部を着脱自在に台座部に安定して固定することができる。
【図面の簡単な説明】
【００３０】
【図１】本発明の一実施形態に係わるスタンド本体の展開図である。
【図２】同実施形態に係わり、スタンド本体の上面図である。
【図３】同実施形態に係わり、スタンド本体の下面図である。
【図４】同実施形態に係わり、スタンド本体の組立て手順を示す図である。
【図５】同実施形態に係わり、スタンド本体の斜視図である。
【図６】同実施形態に係わり、スタンド本体が装着される台座部の展開図である。
【図７】同実施形態に係わり、スタンド本体が装着される台座部の斜視図である。
【図８】同実施形態に係わり、スタンド本体が収納されるケース体の展開図である。
【図９】同実施形態に係わり、スタンド本体が収納されるケース体の斜視図である。
【図１０】同実施形態に係わる補助部材の展開図である。
【図１１】同実施形態に係わる補助部材の斜視図である。
【図１２】同実施形態に係わり、スタンド本体及び補助部材を装着した台座部並びにケース体の位置関係を示す分解斜視図である。
【図１３】同実施形態に係わり、補助部材を装着した台座部に装着されたスタンド本体とケース体との位置関係を示す分解斜視図である。
【図１４】本発明の他の実施形態に係わるスタンド本体の展開図である。
【図１５】同実施形態に係わるスタンド本体の斜視図である。
【図１６】同実施形態に係わり、スタンド本体が装着される台座部の展開図である。
【図１７】同実施形態に係わり、スタンド本体が装着される台座部の斜視図である。
【図１８】本発明の実施形態に係わる変形例を示すスタンド本体の展開図である。
【図１９】同変形例に係わるスタンド本体の斜視図である。
【発明を実施するための形態】
【００３１】
以下本発明の一実施形態につき、図１乃至図１３を参照して説明する。
【００３２】
本実施形態に係わるかつらスタンドのスタンド本体１００は、１枚の樹脂製シート、例えば厚さ０．８ｍｍ未満の反発性を有し折り曲げると強度が上がる性質を有するポリプロピレン（ＰＰ）製のシートを２枚重ねとなるよう折り曲げることにより組み立てられるものである。即ち、図１（ｂ）に示すように、ＰＰ製シートは、スタンド本体１００を形成することになる８個の支柱部を有する。具体的には、支柱Ａ左部（支柱部）１０１、支柱Ａ右部（支柱部）１０２、支柱Ｂ左部（支柱部）１０３、支柱Ｂ右部（支柱部）１０４、支柱Ｃ左部（支柱部）１０５、支柱Ｃ右部（支柱部）１０６、支柱Ｄ左部（支柱部）１０７及び支柱Ｄ右部（支柱部）１０８を有している。ここで、支柱Ａ左部１０１、支柱Ｂ左部１０３、支柱Ｃ左部１０５と支柱Ｄ左部１０７とは略同一形状であり、上部は緩やかなまるみを呈しており、中間部は幅が狭く形成され、そして下部は後述する脚部がその最外周部が前記上部の最外周部と同一直線上に位置するよう形成されている。支柱Ａ右部１０２、支柱Ｂ右部１０４、支柱Ｃ右部１０６と支柱Ｄ右部１０８とは略同一形状であり、上部は緩やかなまるみを呈しており、中間部は幅が狭く形成され、そして下部は後述する脚部がその最外周部が前記上部の最外周部と同一直線上に位置するよう形成されている。また、支柱Ａ左部１０１、支柱Ｂ左部１０３、支柱Ｃ左部１０５、支柱Ｄ左部１０７と、支柱Ａ右部１０２、支柱Ｂ右部１０４、支柱Ｃ右部１０６、支柱Ｄ右部１０８とは、折り目を基準に線対称の形状である。即ち、支柱Ａ左部１０１と支柱Ａ右部１０２は折り目１０１Ａに関して線対称であり、支柱Ａ右部１０２と支柱Ｂ左部１０３は折り目１０２Ａに関して線対称であり、支柱Ｂ左部１０３と支柱Ｂ右部１０４は折り目１０３Ａに関して線対称であり、支柱Ｂ右部１０４と支柱Ｃ左部１０５は折り目１０４Ａに関して線対称であり、支柱Ｃ左部１０５と支柱Ｃ右部１０６は折り目１０５Ａに関して線対称であり、支柱Ｃ右部１０６と支柱Ｄ左部１０７は折り目１０６Ａに関して線対称であり、支柱Ｄ左部１０７と支柱Ｄ右部１０８は折り目１０７Ａに関して線対称である。ここで、各折り目１０１Ａ、１０２Ａ、１０３Ａ、１０４Ａ、１０５Ａ、１０６Ａ、１０７Ａは平行な位置関係にあり、同一直線上または同一直線近傍（以下、単に「同一直線上」という。）に位置する折り目は一つの折り目としてカウントする。例えば後述する支柱Ａ〜支柱Ｂ上部接続部１４１と支柱Ａ〜支柱Ｂ下部接続部１４４は同一直線上に位置するので一つの折り目（折り目１０２Ａ）としてカウントし、同様に支柱Ｂ〜支柱Ｃ上部接続部１４２と支柱Ｂ〜支柱Ｃ下部接続部１４５は同一直線上に位置するので一つの折り目（折り目１０４Ａ）としてカウントし、支柱Ｃ〜支柱Ｄ上部接続部１４３と支柱Ｃ〜支柱Ｄ下部接続部１４６は同一直線上に位置するので一つの折り目（折り目１０６Ａ）としてカウントする。而して折り目は全部で７個となる。
【００３３】
各支柱部（支柱Ａ左部１０１、支柱Ａ右部１０２、支柱Ｂ左部１０３、支柱Ｂ右部１０４、支柱Ｃ左部１０５、支柱Ｃ右部１０６、支柱Ｄ左部１０７、支柱Ｄ右部１０８）の上部には、夫々リング受けスリット部とこのスリット部の下方であって上部に於ける最外周部に位置するようリング受け穴部が形成されている。即ち、支柱Ａ左部１０１の上部には支柱Ａ左部リング受けスリット部１０９とこのスリット部１０９の下方に位置するよう支柱Ａ左部リング受け穴部１１７の半分が、支柱Ａ右部１０２の上部には支柱Ａ右部リング受けスリット部１１０とこのスリット部１１０の下方に位置するよう支柱Ａ右部〜支柱Ｂ左部間リング受け穴部１１８の半分が、支柱Ｂ左部１０３の上部には支柱Ｂ左部リング受けスリット部１１１とこのスリット部１１１の下方に位置するよう前記支柱Ａ右部〜支柱Ｂ左部間リング受け穴部１１８の他の半分が、支柱Ｂ右部１０４の上部には支柱Ｂ右部リング受けスリット部１１２とこのスリット部１１２の下方に位置するよう支柱Ｂ右部〜支柱Ｃ左部間リング受け穴部１１９の半分が、支柱Ｃ左部１０５の上部には支柱Ｃ左部リング受けスリット部１１３とこのスリット部１１３の下方に位置するよう前記支柱Ｂ右部〜支柱Ｃ左部間リング受け穴部１１９の他の半分が、支柱Ｃ右部１０６の上部には支柱Ｃ右部リング受けスリット部１１４とこのスリット部１１４の下方に位置するよう支柱Ｃ右部〜支柱Ｄ左部間リング受け穴部１２０の半分が、支柱Ｄ左部１０７の上部には支柱Ｄ左部リング受けスリット部１１５とこのスリット部１１５の下方に位置するよう支柱Ｃ右部〜支柱Ｄ左部間リング受け穴部１２０の他の半分が、そして支柱Ｄ右部１０８の上部には支柱Ｄ右部リング受けスリット部１１６とこのスリット部１１６の下方に位置するよう支柱Ｄ右部リング受け部１２１が形成されている。
【００３４】
支柱Ａ左部１０１の上部には、前記支柱Ａ左部リング受け穴部１１７の他の半分を内包する支柱Ａ左部リング受け突起部１２２が形成されている。この支柱Ａ左部リング受け突起部１２２は、支柱Ａ左部１０１と支柱Ｄ右部１０８が重なり合うと、支柱Ａ左部リング受け穴部１１７の他の半分と支柱Ｄ右部リング受けスリット部１２１とが重なり合うように復元可能に折り曲げられるよう構成されている。また、後述するよう支柱部が組み立てられて固定板による押圧力が支柱部に加わると、重なり合った支柱部同士は反発力により膨らもうとする。折り曲げられた支柱Ａ左部リング受け突起部１２２は、支柱部同士がしっかり重なり合うよう反発力を抑制する機能を有するものでもある。
【００３５】
また、折り目に沿って接続機構が次のように設けられている。即ち、折り目１０１Ａに沿って支柱Ａ右部１０２側に支柱Ａ上部ロックつめ受け部１２３が形成され、支柱Ａ左部１０１側に支柱Ａ下部ロックつめ受け部１２４が形成されている。折り目１０３Ａに沿って支柱Ｂ右部１０４側に支柱Ｂロックつめ１２５が形成されている。折り目１０５Ａに沿って支柱Ｃ左部１０５側に支柱Ｃロックつめ受け部１２６が形成されている。折り目１０７Ａに沿って支柱Ｄ右部１０８側に支柱Ｄ上部ロックつめ１２７が、支柱Ｄ左部１０７側に支柱Ｄ下部ロックつめ１２８が形成されている。
【００３６】
而して、支柱Ｂロックつめ１２５と支柱Ａ上部ロックつめ受け部１２３は接続機構として機能するものであり、支柱Ｂロックつめ１２５を支柱Ａ上部ロックつめ受け部１２３に嵌め込み係合させることにより、支柱Ａ右部１０２と支柱Ｂ左部１０３とが折り目１０２Ａ（支柱Ａ〜支柱Ｂ上部接続部１４１及び支柱Ａ〜支柱Ｂ下部接続部１４４）を軸として折り曲がり重なり合うよう構成されている。同様に、支柱Ｄ上部ロックつめ１２７と支柱Ｃ上部ロックつめ受け部１２６は接続機構として機能するものであり、支柱Ｄ上部ロックつめ１２７を支柱Ｃ上部ロックつめ受け部１２６に嵌め込み係合させることにより、支柱Ｃ右部１０６と支柱Ｄ左部１０７とが折り目１０６Ａ（支柱Ｃ〜支柱Ｄ上部接続部１４３及び支柱Ｃ〜支柱Ｄ下部接続部１４６）を軸として折り曲がり重なり合うよう構成されている。また、支柱Ｄ下部ロックつめ１２８と支柱Ａ下部ロックつめ受け部１２４は接続機構として機能するものであり、支柱Ｄ下部ロックつめ１２８を支柱Ａ下部ロックつめ受け部１２４に嵌め込み係合させることにより、支柱Ｄ右部１０８と支柱Ａ左部１０１とが重なり合うよう構成されている。このとき、支柱Ｂ右部１０３と支柱Ｃ左部１０４は折り目１０４Ａ（支柱Ｂ〜支柱Ｃ上部接続部１４２及び支柱Ｂ〜支柱Ｃ下部接続部１４５）を軸として折り曲がり重なり合うよう構成されている。
【００３７】
各支柱部１０１〜１０８の下部には、上部側にスリット部を形成し、下部側に外方に指向する脚部が形成されている。即ち、支柱Ａ左部１０１の下部には外側に指向する脚部１０１ｂが形成され、この脚部１０１ｂの上部に支柱Ａ左部固定スリット部１２９が形成されている。支柱Ａ右部１０２の下部には外側に指向する脚部１０２ｂが形成され、この脚部１０２ｂの上部に支柱Ａ右部固定スリット部１３０が形成されている。支柱Ｂ左部１０３の下部には外側に指向する脚部１０３ｂが形成され、この脚部１０３ｂの上部に支柱Ｂ左部固定スリット部１３１が形成されている。支柱Ｂ右部１０４の下部には外側に指向する脚部１０４ｂが形成され、この脚部１０４ｂの上部に支柱Ｂ右部固定スリット部１３２が形成されている。支柱Ｃ左部１０５の下部には外側に指向する脚部１０５ｂが形成され、この脚部１０５ｂの上部に支柱Ｃ左部固定スリット部１３３が形成されている。支柱Ｃ右部１０６の下部には外側に指向する脚部１０６ｂが形成され、この脚部１０６ｂの上部に支柱Ｃ右部固定スリット部１３４が形成されている。支柱Ｄ左部１０７の下部には外側に指向する脚部１０７ｂが形成され、この脚部１０７ｂの上部に支柱Ｄ左部固定スリット部１３５が形成されている。支柱Ｄ右部１０８の下部には外側に指向する脚部１０８ｂが形成され、この脚部１０８ｂの上部に支柱Ｄ右部固定スリット部１３６が形成されている。これらスリット部１２９〜１３６は、後述する台座部１７０にスタンド本体１００を着脱自在に装着する際の接続機構をなすよう構成されている。
【００３８】
なお、支柱Ａ右部１０２と支柱Ｂ左部１０３は、同一の折り目１０２Ａ上に位置する前述した支柱Ａ〜支柱Ｂ上部接続部１４１及び支柱Ａ〜支柱Ｂ下部接続部１４４を介して一体的に繋がっているものである。同様に、支柱Ｂ右部１０４と支柱Ｃ左部１０５は、同一の折り目１０４Ａ上に位置する前述した支柱Ｂ〜支柱Ｃ上部接続部１４２及び支柱Ｂ〜支柱Ｃ下部接続部１４５を介して一体的に繋がっているものである。支柱Ｃ右部１０６と支柱Ｄ左部１０７は、同一の折り目１０６Ａ上に位置する前述した支柱Ｃ〜支柱Ｄ上部接続部１４３及び支柱Ｃ〜支柱Ｄ下部接続部１４６を介して一体的に繋がっているものである。さらに、各支柱部（１０１〜１０８）の下部には、脚部から内方へ凹部（底部凹み部）が形成されている。即ち、脚部１０１ｂと脚部１０２ｂの間には支柱Ａ底部凹み部１４７が、脚部１０３ｂと脚部１０４ｂとの間には支柱Ｂ底部凹み部１４８が、脚部１０５ｂと脚部１０６ｂとの間には支柱Ｃ底部凹み部１４９が、そして脚部１０７ｂと脚部１０８ｂとの間には支柱Ｄ底部凹み部１５０が形成されている。これら底部凹み部は、スタンド本体１００が組み立てられた際、スタンド本体１００は、脚部のみで載置面と接することになるので、下部全面が接する構造と比べて、安定した載置ができるために形成されたものである。
【００３９】
次に、スタンド本体１００に装着される固定部材について、図１（ａ）を参照して説明する。固定部材はＰＰ製であり、本実施形態では第１固定板１６０と第２固定１６３の２枚の独立した固定板を用いるが、その枚数は２枚に限定されることではなく、適宜変更して設けてよいことは勿論である。
第１固定板１６０は楕円形状に形成され、十文字状の溝が穿設され支柱Ａ左部リング受けスリット部１０９、支柱Ａ右部リング受けスリット部１１０、支柱Ｂ左部リング受けスリット部１１１、支柱Ｂ右部リング受けスリット部１１２、支柱Ｃ左部リング受けスリット部１１３、支柱Ｃ右部リング受けスリット部１１４、支柱Ｄ左部リング受けスリット部１１５及び支柱Ｄ右部リング受けスリット部１１６に嵌合する第１固定板形態保持溝１６１と、第１固定板クリップ受け穴部１６２を形成している。また、第２固定板１６３は円形状に形成され、十文字状の溝が穿設され支柱Ａ左部リング受け穴部１１７、支柱Ａ右部〜支柱Ｂ左部間リング受け穴部１１８、支柱Ｂ右部〜支柱Ｃ左部間リング受け穴部１１９、支柱Ｃ右部〜支柱Ｄ左部間リング受け穴部１２０及び支柱Ｄ右部リング受け部１２１に嵌合する第２固定板形態保持溝１６４を形成している。
【００４０】
続いて、組み立てられた支柱部１０１〜１０８の下部を着脱自在に装着する台座部１７０を図６及び図７を参照して説明する。
【００４１】
台座部１７０は１枚のＰＰ製の樹脂板から形成されており、六角形状の上面部１７０ａ、脚部１０１ｂ〜１０８ｂの高さより数ｍｍ程度低い高さ（短辺部分）である夫々５個の内側面部１７０ｂと外側面部１７０ｃ、上面部１７０ａと同様の六角形状の底面部１７０ｄ、及び内側面部１７０ｂや外側面部１７０ｃと同様に側面部として機能すると共に上面部１７０ａと底面部１７０ｄとを繋ぐよう機能する側面蝶番部１７０ｅとからなる。ここで、台座部１７０の高さを脚部の高さよりも数ｍｍ低くしているのは、スタンド本体１００と台座部１７０を装着した際に台座部の上面部１７０ａが少し盛り上がり、スタンド本体１００を押さえつける力が発生することにより、スタンド本体１００の安定載置の向上を意図して構成したものである。
【００４２】
さて、上面部１７０ａには、スタンド受け機構部１７１が形成されている。このスタンド受け機構部１７１には、スタンド受けスリット部１７１ａ、スタンド受けロック溝受け部１７１ｂ、スタンド受け保持スリット部１７１ｃ及びスタンド受け保持スリット端部１７１ｄが形成され、各脚部１０１ｂ〜１０８ｂ及び各底部凹み部１４７〜１５０を着脱自在に装着するよう構成されている。ここで、各脚部１０１ｂ〜１０８ｂ及び各底部凹み部１４７〜１５０を装着するスタンド受け機構部１７１の端部に設けられた幅の狭いスタンド受け保持スリット部１７１ｃは、各脚部１０１ｂ〜１０８ｂ及び各底部凹み部１４７〜１５０が差し込まれる際にスタンド受け保持スリット１７１ｃが広がるよう形成されている。また、スリット部１２９〜１３６がスタンド受け保持スリット部１７１ｃに差し込まれて曲線状の切欠き形状を有するスタンド受け保持スリット端部１７１ｄに係合するよう構成されている。このように切欠き形状の先端部分を鉤状にすることにより、スタンド本体１００を台座部１７０に装着した際に当該切欠き形状が裂けるのを防止するよう機能するものでもある。なお、切り込みの幅は、脚部の先端の幅を考慮して形成してある。さらに、上面部１７０ａの外周部には、６個の上面ガイドつめ受けスリット部１７２が設けられている。
【００４３】
内側面部１７０ｂのうち、側面蝶番部１７０ｅと接する２個の内側面部１７０ｂ、１７０ｂ及び側面蝶番部１７０ｅの平行関係にある内側面部１７０ｂは、他の２個の内側面部１７０ｂとは構成が異なり、内側面ホック用リブ１７３が側面ホック１７４を設けた側面ホック台座部１７５の両側に位置することにより構成されている。
【００４４】
各外側面部１７０ｃには、外側面つめ１７６と外側面つめロック部１７７が形成されている。
【００４５】
底面部１７０ｄと前記他の２個の内側面部１７０ｂとが繋がる部位には、内側面つめ受け部１７８が形成されている。また、底面部１７０ｄと前記側面蝶番部１７０ｅと接する２個の内側面部１７０ｂ、１７０ｂ及び側面蝶番部１７０ｅと平行関係にある内側面部１７０ｂとが繋がる部位には、内側面ホック用リブロック部１７９が形成されている。
【００４６】
台座部１７０に着脱自在に装着されるケース体１８０について、図８及び図９を参照して説明する。
【００４７】
ケース体１８０は１枚のＰＰ製の樹脂板から形成されており、六角形状の上蓋１８１及び下蓋１８２、６個の長方形状の側面部１８３と、この側面部１８３を溶着する溶着部１８４とからなる。
【００４８】
上蓋１８１には、側面部１８３とは繋がっていない外周部位に１個の上蓋正面つめ１８５と４個の上蓋つめ１８６が形成されている。そして、各上蓋つめ１８６の両側には、上蓋つめロック部１８７が形成されている。また、上蓋１８１には、上蓋ハンドル用穴部１８８が２個穿説されている。
【００４９】
下蓋１８２には、側面部１８３とは繋がっていない外周部位に４個の下蓋つめガイド部１８９が形成されている。また、下蓋１８２には、下蓋正面つけ受け部１９０と、２個の下蓋ハンドル用穴部１９１が穿説されている。
【００５０】
上蓋１８１または下蓋１８２とは繋がってない４個の側面部１８３夫々には、側面上リブ１９２と側面上リブ蓋つめ受け部１９３が形成されている。また、３個の側面部１８３（図８で左から１個目、３個目、５個目に位置する側面部１８３）には、側面台座ホックガイド部１９４が形成されている。さらに各側面台座ホックガイド部１９４の上方には側面ホック１９５が設けられている。
【００５１】
而して溶着部１８４は、一端に位置する側面部１８３（図８の右端に位置する側面部１８３）に繋がっており、他端に位置する側面部１８３（図８の左端に位置する側面部１８３）の内側面にて溶着するよう構成されている。溶着部１８４が側面部１８３の内側にて溶着すると、六角柱状のケース体１８０となる。なお、ケース体１８０の上部には、両端部が上蓋ハンドル用穴部１８８と下蓋ハンドル用穴部１９１にて留められるハンドル１９６が着脱可能に設けられる。
【００５２】
台座部１７０に着脱自在に装着される補助部材２００について、図１０及び図１１を参照して説明する。
【００５３】
補助部材２００は、１枚のＰＰ製の樹脂板から形成されており、６個のガイド側面部２０１と、１個のガイド側面溶着部２０２を有する。各ガイド側面部２０１には、その上部に内方へ指向するガイド上部リブ２０３を形成し、その下部にガイド台座用つめ２０４を形成している。ガイド側面溶着部２０２は、一端に位置するガイド側面部２０１（図１０の右端に位置するガイド側面部２０１）に繋がっており、他端に位置するガイド側面部２０１（図１０の左端に位置するガイド側面部２０１）の内側面にて溶着するよう構成されている。
【００５４】
また、ガイド側面溶着部２０２が前記ガイド側面部２０１の内側に溶着されると、補助部材２００は台座部１７０の上面部１７０ａと同形の６角形状を呈し、ガイド台座用つめ２０４が上面ガイドつめ受けスリット部１７２に嵌め込まれることにより、補助部材２００は台座部１７０に対して着脱自在に装着されるよう構成されている。
【００５５】
上記構成につき、その作用を以下に述べる。
【００５６】
図１（ｂ）及び図４に示すように、本実施形態に係るかつらスタンドは、そのスタンド本体１００が１枚の反発性を有するＰＰ製シートを折り目１０１Ａ、１０２Ａ、１０３Ａ、１０４Ａ、１０５Ａ、１０６Ａ、１０７Ａに従って折り曲げた支柱部１０１〜１０８で構成され、これら支柱部１０１〜１０８に設けられた接続機構、即ち支柱Ｂロックつめ１２５、支柱Ｄ上部ロックつめ１２７、支柱Ｄ下部ロックつめ１２８が支柱Ａ上部ロックつめ受け部１２３、支柱Ｃロックつめ受け部１２６、支柱Ａ下部ロックつめ受け部１２４と相互に係合して組立てられる。これにより、上下左右方向に歪みなく固定させることができる。この係合機能を有する接続機構は、シートの一部からなるので、新たな部材を用いることなく簡単に一体形成することができる。
【００５７】
而してシートを折り曲げた支柱部１０１〜１０８は横断面が略Ｌ字状となり、当該支柱部同士は上部及び下部が繋がっており、略Ｌ字状の支柱部同士を重ね合わせた２枚重ね構造となり、その横断面の形状が放射状になるものである。また、ＰＰ製シートを折り目１０１Ａ、１０２Ａ、１０３Ａ、１０４Ａ、１０５Ａ、１０６Ａ、１０７Ａに従って折り曲げた横断面が略Ｌ字状の支柱部同士はその上部及び下部が繋がっており、当該略Ｌ字状の支柱部同士を重ね合わせた２枚重ね構造となるので、従来のように上下方向から挟み込んで固定する必要がない。例えば厚みが０．８ｍｍ未満のＰＰ製のスタンド本体１００であっても、変形し難いうえ、このスタンド本体１００がシートを折り目に従って折り曲げた部材の一部に形成される接続機構が相互に係合して組立てられているので、載置されるかつらの形状を保ちつつ収納することができる。なお、両端部に位置する支柱部同士は、支柱Ａ左部リング受け突起部１２２により、スタンド本体１００の強度を保ち、歪みを解消することができる。
【００５８】
また、例えば厚みが０．８ｍｍ未満のＰＰ製の素材を使用することにより、直角以上の深い角度まで繰り返し折り曲げても破断することがないヒンジ効果を有するので曲げに対する強度が高く、折り畳んでコンパクトにして梱包して搬送することができるうえ、使わないときに収納スペースが節約できる。そして、スタンド本体１００の横断面の形状が放射状なので、水平方向に曲げ応力が働いた場合の断面係数を大きくすることができるので、変形し難いスタンドとなる。なお、本実施形態における放射形状は頂点が４つの場合を示すが、頂点が３つの場合でもよいし、頂点が５以上であってもよい。
【００５９】
１枚の反発性を有するＰＰ製シートを折り目１０１Ａ、１０２Ａ、１０３Ａ、１０４Ａ、１０５Ａ、１０６Ａ、１０７Ａに従って折り曲げた横断面が略Ｌ字状の部材の縦断面の形状は問わないが、上部の形状を楕円形にすることにより、かつらを被せる人間の頭の形状に近似させることが好ましい。
【００６０】
また、スタンド本体１００の上部に、当該スタンド本体１００を構成する各支柱部を保持する楕円形状または円形状の固定板１６０、１６３を設けることにより、スタンド本体１００を変形させることなくかつらを容易に安定して載せることができる。この固定板１６０、１６３の中央には、スタンド本体１００の横断面の形状と同じ放射状の形態保持溝１６１、１６４を設け、支柱部上部に当該固定板形態保持溝１６１、１６４を嵌め込み、リング受けスリット部１０９〜１１６、リング受け穴部１１７〜１２１に係合させることにより、スタンド本体１００の横断面の形状を保持することができるうえ、スタンド本体１００の上部が広がらないためスタンド本体１００の下部の水平性を保つことができる。なお、第１固定板クリップ受け穴部１６２にてクリップを受けることにより、載置されるかつらを留めることもできる。さらに、図２に示すように、スタンド本体１００の上部に設ける固定板の形状は、上段の固定板１６０を楕円形、下段の固定板１６３を円形にすることによって、人の頭の形状を再現することができる。
【００６１】
ところで、下面図を示す図３を参照するに、シートを折り目に従って折り曲げた横断面が略Ｌ字状部材同士を重ね合わせた２枚重ね構造であり、シートの間が微妙に開いて空洞が生じるうえ、下部が外周方向に広がっており、底部に凹部（底部凹み部）を有することによって安定性が向上し転倒し難くなる。
【００６２】
以下にスタンド本体１００の組み立てを、図４を参照して説明する。
【００６３】
先ず、支柱Ａ左部１０１と支柱Ａ右部１０２を折り目１０１Ａに従って横断面が略Ｌ字状になるように折り曲げ、同様に、支柱Ｂ左部１０３と支柱Ｂ右部１０４、支柱Ｃ左部１０５と支柱Ｃ右部１０６、支柱Ｄ左部１０７と支柱Ｄ右部１０８を順次折り目に従って折り曲げる。前述したように左部の支柱（１０１、１０３、１０５、１０７）と、右部の支柱（１０２、１０４、１０６、１０８）は、折り目（１０１Ａ、１０３Ａ、１０５Ａ、１０７Ａ）を中心として線対称である。
【００６４】
次に、支柱Ａ〜支柱Ｂ上部接続部１４１と支柱Ａ〜支柱Ｂ下部接続部１４４を折り曲げて支柱Ａ右部１０２と支柱Ｂ左部１０３とを重ね合わせて、支柱Ｂロックつめ（係合部として機能）１２５を支柱Ａ上部ロックつめ受け穴部（被係合部として機能）１２３に差し込んで係合させることにより接続する。同様に、支柱Ｃ〜支柱Ｄ上部接続部１４３と支柱Ｃ〜支柱Ｄ下部接続部１４６を折り曲げて支柱Ｃ右部１０６と支柱Ｄ左部１０７とを重ね合わせて、支柱Ｄ上部ロックつめ（係合部として機能）１２７を支柱Ｃロックつめ受け穴部（被係合部として機能）１２６に差し込んで係合させることにより接続する。続いて、支柱Ｂ〜支柱Ｃ上部接続部１４２と支柱Ｂ〜支柱Ｃ下部接続部１４５を折り曲げて支柱Ｂ右部１０４と支柱Ｃ左部１０５とを重ね合わせて、支柱Ｄ下部ロックつめ（係合部として機能）１２８を支柱Ａ下部ロックつめ受け穴部（被係合部として機能）１２４に差し込んで係合させることにより接続してスタンド本体１００を組み立てる。上記ロックつめ１２７、１２８は、シートから切り出された突起の端部に凹部を形成したものが好ましく、この凹部にロックつめ受け穴部１２４、１２６の端部が係合して接続することにより固定される。
【００６５】
而して、スタンド本体１００の上部、即ち支柱部の上部に第２固定板１６３の形態保持溝１６４を嵌め込み、リング受け穴部１１７〜１２１に係合させることにより、スタンド本体１００の横断面の形状を保持することができる。この際、支柱Ａ左部リング受け突起部１２２を折り曲げて支柱Ａ左部リング受け穴部１１７に第２固定板１６３を係合させることによって、しっかりと固定することができる。同様に、スタンド本体１００の上部に、即ち支柱部の上部に第１固定板１６０の形態保持溝１６１を嵌め込み、リング受けスリット部１０９〜１１６に係合させる。
【００６６】
本実施形態では、図７、図１２及び図１３に示すように、スタンド本体１００を着脱自在に固定できる台座部１７０を設けている。台座部１７０は上面及び側面を有する箱構造であるため強度が高く変形し難いうえ、スタンド本体１００の形状を安定させることができる。加えて、台座部の上面部１７０ａにスタンド本体１００の放射状の下端部（脚部）を差し込んで固定できるスタンド受け機構部１７１を有するので、スタンド本体１００を容易に着脱自在に台座部１７０に固定することができる。また、スタンド受け機構部１７１の端部には、幅の狭いスタンド受け保持スリット部１７１ｃが設けられているので、スタンド本体１００の端部に設けられた固定スリット部１２９〜１３６がスタンド受け保持スリット部１７１ｃに係合して固定し易い。しかも、スタンド受け保持スリット端部１７１ｄには曲線状の切欠きが形成されており、スタンド本体１００を差し込む際に、スタンド受け保持スリット部１７１ｃが広がるので、スタンド本体１００の下端部を差込み易い。
【００６７】
図１１に示す補助部材２００は、ガイド台座用つめ２０４を上面ガイドつめ受けスリット部１７２に着脱自在に嵌め込むことにより、図１２及び図１３に示すように台座部１７０の上面部１７０ａに着脱自在に装着される。補助部材２００を装着した台座部１７０にスタンド本体１００が取付けられて、かつらを所定位置に載置する際、内方に指向するガイド上部リブ２０３は、かつらに設けられた毛髪がケース体１８０内に容易に収まるよう、またケース体１８０からはみ出ないよう作用する。なお、補助部材２００は、かつらの大きさに応じて装着すればよいので、取扱い性に優れ便利なものである。
【００６８】
ケース体１８０の側面ホック１９５が台座部１７０の側面ホック１７４に留められることにより、ケース体１８０は台座部１７０と一体となり、かつらの運搬や保管に寄与することとなる。
【００６９】
以下本発明の他の実施形態につき、図１４乃至図１７を参照して説明する。
【００７０】
本実施形態に係わるかつらスタンドは、前述実施形態のかつらスタンドを構成する支柱部の数を減らし、最小限の支柱部の数にて目的を達成しようとするものである。前述実施形態のスタンド本体を構成する略Ｌ字状の支柱部は８つでありＬ字のなす角度は略９０度であるが、略Ｌ字状の支柱部は６つ以上であればよく、本実施形態では略Ｌ字状の部材が６つであり、その角度は略１２０度である。なお、前述実施形態と同一要素については、同一名称を付して同様な機能を有するものとして説明する。
【００７１】
さて、本実施形態に係わるかつらスタンドは、１枚の樹脂製シート、例えば厚さ０．８ｍｍ未満の反発性を有するポリプロピレン（ＰＰ）製のシートを２枚重ねとなるよう折り曲げることにより組み立てられるものである。即ち、図１４（ｂ）に示すように、ＰＰ製シートは、スタンド本体３００を形成することになる６個の支柱部を有する。具体的には、支柱Ａ左部（支柱部）３０１、支柱Ａ右部（支柱部）３０２、支柱Ｂ左部（支柱部）３０３、支柱Ｂ右部（支柱部）３０４、支柱Ｃ左部（支柱部）３０５及び支柱Ｃ右部（支柱部）３０６を有している。ここで、支柱Ａ左部３０１、支柱Ｂ左部３０３と支柱Ｃ左部３０５とは略同一形状であり、支柱Ａ右部３０２、支柱Ｂ右部３０４と支柱Ｃ右部３０６とは略同一形状である。また、支柱Ａ左部３０１、支柱Ｂ左部３０３、支柱Ｃ左部３０５と、支柱Ａ右部３０２、支柱Ｂ右部３０４、支柱Ｃ右部３０６とは、折り目を基準に線対称の形状である。即ち、支柱Ａ左部３０１と支柱Ａ右部３０２は折り目３０１Ａに関して線対称であり、支柱Ａ右部３０２と支柱Ｂ左部３０３は折り目３０２Ａに関して線対称であり、支柱Ｂ左部３０３と支柱Ｂ右部３０４は折り目３０３Ａに関して線対称であり、支柱Ｂ右部３０４と支柱Ｃ左部３０５は折り目３０４Ａに関して線対称であり、支柱Ｃ左部３０５と支柱Ｃ右部３０６は折り目３０５Ａに関して線対称である。ここで、各折り目３０１Ａ、３０２Ａ、３０３Ａ、３０４Ａ、３０５Ａは平行な位置関係にあり、同一直線上または同一直線近傍（以下、単に「同一直線上」という。）に位置する折り目は一つの折り目としてカウントする。例えば後述する支柱Ａ〜支柱Ｂ上部接続部３２８と支柱Ａ〜支柱Ｂ下部接続部３３０は同一直線上に位置するので一つの折り目（折り目３０２Ａ）としてカウントし、同様に支柱Ｂ〜支柱Ｃ上部接続部３２９と支柱Ｂ〜支柱Ｃ下部接続部３３１は同一直線上に位置するので一つの折り目（折り目３０４Ａ）としてカウントする。而して折り目は全部で５個となる。
【００７２】
各支柱部（支柱Ａ左部３０１、支柱Ａ右部３０２、支柱Ｂ左部３０３、支柱Ｂ右部３０４、支柱Ｃ左部３０５、支柱Ｃ右部３０６）の上部には、夫々リング受けスリット部とこのスリット部の下方に位置するようリング受け穴部が形成されている。即ち、支柱Ａ左部３０１の上部には支柱Ａ左部リング受けスリット部３０７とこのスリット部３０７の下方に位置するよう支柱Ａ左部リング受け穴部３１３の半分が、支柱Ａ右部３０２の上部には支柱Ａ右部リング受けスリット部３０８とこのスリット部３０８の下方に位置するよう支柱Ａ右部〜支柱Ｂ左部間リング受け穴部３１４の半分が、支柱Ｂ左部３０３の上部には支柱Ｂ左部リング受けスリット部３０９とこのスリット部３０９の下方に位置するよう前記支柱Ａ右部〜支柱Ｂ左部間リング受け穴部３１４の他の半分が、支柱Ｂ右部３０４の上部には支柱Ｂ右部リング受けスリット部３１０とこのスリット部３１０の下方に位置するよう支柱Ｂ右部〜支柱Ｃ左部間リング受け穴部３１５の半分が、支柱Ｃ左部３０５の上部には支柱Ｃ左部リング受けスリット部３１１とこのスリット部３１１の下方に位置するよう前記支柱Ｂ右部〜支柱Ｃ左部間リング受け穴部３１５の他の半分が、支柱Ｃ右部３０６の上部には支柱Ｃ右部リング受けスリット部３１２とこのスリット部３１２の下方に位置するよう支柱Ｃ右部リング受け部３１６が形成されている。
【００７３】
支柱Ａ左部３０１の上部には前記支柱Ａ左部リング受け穴部３１３の他の半分を内包する支柱Ａ左部リング受け突起部３１７が形成されている。この支柱Ａ左部リング受け突起部３１７は、支柱Ａ左部３０１と支柱Ｃ右部３０６が重なり合うと、支柱Ａ左部リング受け穴部３１３の他の半分と支柱Ｃ右部リング受け部３１６とが重なり合うように復元可能に折り曲げられるよう構成されている。
【００７４】
また、折り目に沿って接続機構が次のように設けられている。即ち、折り目３０１Ａに沿って支柱Ａ右部３０２側に支柱Ａ上部ロックつめ受け穴部３１８が形成され、支柱Ａ左部３０１側に支柱Ａ下部ロックつめ受け穴部３１９が形成されている。折り目３０３Ａに沿って支柱Ｂ右部３０４側に支柱Ｂロックつめ３２０が形成されている。折り目３０５Ａに沿って支柱Ｃ左部３０６側に支柱Ｃロックつめ３２１が形成されている。
【００７５】
而して、支柱Ｂロックつめ３２０と支柱Ａ上部ロックつめ受け穴部３１８は接続機構として機能するものであり、支柱Ｂロックつめ３２０を支柱Ａ上部ロックつめ受け穴部３１８に嵌め込み係合させることにより、支柱Ａ右部３０２と支柱Ｂ左部３０３とが折り目３０２Ａ（支柱Ａ〜支柱Ｂ上部接続部３２８及び支柱Ａ〜支柱Ｂ下部接続部３３０）を軸として折り曲がり重なり合うよう構成されている。同様に、支柱Ｃロックつめ３２１と支柱Ａ下部ロックつめ受け穴部３１９は接続機構として機能するものであり、支柱Ｃロックつめ３２１を支柱Ａ下部ロックつめ受け穴部３１９に嵌め込み係合させることにより、支柱Ｂ右部３０４と支柱Ｃ左部３０５とが折り目３０４Ａ（支柱Ｂ〜支柱Ｃ上部接続部３２９及び支柱Ｂ〜支柱Ｃ下部接続部３３１）を軸として折り曲がり重なり合うよう構成されている。また、支柱Ｃロックつめ３２１と支柱Ａ下部ロックつめ受け穴部３１９は接続機構として機能するものであり、支柱Ｃロックつめ３２１を支柱Ａ下部ロックつめ受け穴部３１９に嵌め込み係合させることにより、支柱Ｃ右部３０６と支柱Ａ左部３０１とが重なり合うよう構成されている。
【００７６】
各支柱部３０１〜３０６の下部には、上部側にスリット部を形成し、下部側に外方に指向する脚部が形成されている。即ち、支柱Ａ左部３０１の下部には外側に指向する脚部３０１ｂが形成され、この脚部３０１ｂの上部に支柱Ａ左部固定スリット部３２２が形成されている。支柱Ａ右部３０２の下部には外側に指向する脚部３０２ｂが形成され、この脚部３０２ｂの上部に支柱Ａ右部固定スリット部３２３が形成されている。支柱Ｂ左部３０３の下部には外側に指向する脚部３０３ｂが形成され、この脚部３０３ｂの上部に支柱Ｂ左部固定スリット部３２４が形成されている。支柱Ｂ右部３０４の下部には外側に指向する脚部３０４ｂが形成され、この脚部３０４ｂの上部に支柱Ｂ右部固定スリット部３２５が形成されている。支柱Ｃ左部３０５の下部には外側に指向する脚部３０５ｂが形成され、この脚部３０５ｂの上部に支柱Ｃ左部固定スリット部３２６が形成されている。支柱Ｃ右部３０６の下部には外側に指向する脚部３０６ｂが形成され、この脚部３０６ｂの上部に支柱Ｃ右部固定スリット部３２７が形成されている。これらスリット部３２２〜３２７は、後述する台座部４００にスタンド本体３００を着脱自在に装着する際の接続機構をなすよう構成されている。
【００７７】
なお、支柱Ａ右部３０２と支柱Ｂ左部３０３は、同一の折り目３０２Ａ上に位置する前述した支柱Ａ〜支柱Ｂ上部接続部３２８及び支柱Ａ〜支柱Ｂ下部接続部３３０を介して一体的に繋がっているものである。同様に、支柱Ｂ右部３０４と支柱Ｃ左部３０５は、同一の折り目３０４Ａ上に位置する前述した支柱Ｂ〜支柱Ｃ上部接続部３２９及び支柱Ｂ〜支柱Ｃ下部接続部３３１を介して一体的に繋がっているものである。さらに、各支柱部（３０１〜３０６）の下部には、脚部から内方へ凹部（底部凹み部）が形成されている。即ち、脚部３０１ｂと脚部３０２ｂの間には支柱Ａ底部凹み部３３２が、脚部３０３ｂと脚部３０４ｂとの間には支柱Ｂ底部凹み部３３３が、そして脚部３０５ｂと脚部３０６ｂとの間には支柱Ｃ底部凹み部３３４が形成されている。
【００７８】
次に、スタンド本体３００に装着される固定部材について、図１４（ａ）を参照して説明する。固定部材はＰＰ製であり、本実施形態では第１固定板３４０と第２固定３５０の２枚の独立した固定板を用いるが、その枚数は２枚に限定されることではなく、適宜変更して設けてよいことは勿論である。
第１固定板３４０は楕円形状に形成され、隣接する溝がおおよそ１２０度の角度をなすよう穿設され支柱Ａ左部リング受けスリット部３０７、支柱Ａ右部リング受けスリット部３０８、支柱Ｂ左部リング受けスリット部３０９、支柱Ｂ右部リング受けスリット部３１０、支柱Ｃ左部リング受けスリット部３１１及び支柱Ｃ右部リング受けスリット部３１２に嵌合する第１固定板形態保持溝３４１と、第１固定板クリップ受け穴部３４２を形成している。また、第２固定板３５０は円形状に形成され、隣接する溝がおおよそ１２０度の角度をなすように穿設され支柱Ａ左部リング受け穴部３１３、支柱Ａ右部〜支柱Ｂ左部間リング受け穴部３１４、支柱Ｂ右部〜支柱Ｃ左部間リング受け穴部３１５及び支柱Ｃ右部リング受け部３１６に嵌合する第２固定板形態保持溝３５１を形成している。
【００７９】
続いて、組み立てられた支柱部３０１〜３０６の下部を着脱自在に装着する台座部４００を図１６及び図１７を参照して説明する。
【００８０】
台座部４００は１枚のＰＰ製の樹脂板から形成されており、六角形状の上面部４００ａ、脚部３０１ｂ〜３０６ｂの高さより数ｍｍ程度低い高さ（短辺部分）である夫々５個の内側面部４００ｂと外側面部４００ｃ、上面部４００ａと同様の六角形状の底面部４００ｄ、及び内側面部４００ｂや外側面部４００ｃと同様に側面部として機能すると共に上面部４００ａと底面部４００ｄとを繋ぐよう機能する側面蝶番部４００ｅとからなる。
【００８１】
上面部４００ａには、スタンド受け機構部４０１が形成されている。このスタンド受け機構部４０１には、スタンド受けスリット部４０１ａ、スタンド受けロック溝受け部４０１ｂ、スタンド受け保持スリット部４０１ｃ及びスタンド受け保持スリット端部４０１ｄが形成され、各脚部３０１ｂ〜３０６ｂ及び各底部凹み部３３２〜３３４を着脱自在に装着するよう構成されている。ここで、各脚部３０１ｂ〜３０６ｂ及び各底部凹み部３３２〜３３４を装着するスタンド受け機構部４０１の端部に設けられた幅の狭いスタンド受け保持スリット部４０１ｃは、各脚部３０１ｂ〜３０６ｂ及び各底部凹み部３３２〜３３４が差し込まれる際にスタンド受け保持スリット部４０１ｃが広がるよう形成されている。また、スリット部３２２〜３２７がスタンド受け保持スリット部４０１ｃに差し込まれて曲線状の切欠き形状を有するスタンド受け保持スリット端部４０１ｄに係合するよう構成されている。さらに、上面部４００ａの外周部には、６個の上面ガイドつめ受けスリット部４０２が設けられている。
【００８２】
内側面部４００ｂのうち、側面蝶番部４００ｅと接する２個の内側面部４００ｂ、４００ｂ及び側面蝶番部４００ｅの平行関係にある内側面部４００ｂは、他の２個の内側面４００ｂとは構成が異なり、内側面ホック用リブ４０３が側面ホック４０４を設けた側面ホック台座部４０５の両側に位置することにより構成されている。
【００８３】
各外側面部４００ｃには、外側面つめ４０６と外側面つめロック部４０７が形成されている。
【００８４】
底面部４００ｄと前記他の２個の内側面部４００ｂとが繋がる部位には、内側面つめ受け部４０８が形成されている。また、底面部４００ｄと前記側面蝶番部４００ｅと接する２個の内側面部４００ｂ、４００ｂ及び側面蝶番部４００ｅと平行関係にある内側面部４００ｂとが繋がる部位には、内側面ホック用リブロック部４０９が形成されている。
【００８５】
上記構成にあっては、前述実施形態のケース体１８０及び補助部材２００を同様に適用できるものであり、また同様の作用効果を奏するものである。
【００８６】
上述実施形態にあっては、支柱部上部の最外周部位にて第２固定板の嵌め込みが成されるようスリットが切欠き形成されるものである。しかも上部接続部では、接続部位にて切断されないよう一定の長さを有し且つスリットが切れない位置にスリットが形成されているものである。また、スタンド本体は、支柱部同士を一体的に繋ぐ接続部を、折り目からの距離が同一となるよう当該支柱部の上部と下部の２箇所に形成しているので、スタンド本体のバランスと安定性を保つことができる。而して上述実施形態のスタンド本体は、反発性を有するＰＰが持つ薄く且つ折り曲げやすいという特性を活かし、１枚のＰＰ製シートに切り込みや折り目を付けて組み立てたり分解したりできるよう構成したものである。しかも、スタンド本体は、ＰＰ製シートを２枚重ねにした２重構造にしているため、シートの厚みを増すことなく強度を向上できるものである。加えて、スタンド本体に使用するシートは、その厚さを増す必要がないので、薄いシートを使用することができ、コスト面からも有利である。
【００８７】
例えば、スタンド本体に使用するＰＰ製シートの厚みを０．６ｍｍ以下としても十分な強度を保つことができる。また、２重になったＰＰ製シートが互いに外側に膨らもうとするＰＰの反発性を利用することにより、より本体の安定性を向上することができる。さらに、スタンド本体の強度が上がることにより、台座部の高さを低くし、かつらスタンドを軽量且つコンパクトにすることができる。
【００８８】
スタンド本体を形成する支柱部の折り目は５つ以上（５以上の奇数）とし、折り目上に位置する接続機構（支柱ロックつめ部とロックつめ受け部）を上側と下側とで計２つ以上とした。ここで、接続機構は、スタンド本体のＰＰ製シートに切り込みを入れて形成してあるので、外付けの接続機構を設ける必要がない。また、接続機構は、ロックつめ部としての係合片が、長方形の上に上底が短い台形を組み合わせたような形状になっているので、ロックつめ受け部としての被係合部に嵌め込み易く、且つ外しやすい構造となる。さらに接続機構の間隔は、スタンド本体が倒れないようにバランスを考慮して形成され、また接続機構に若干のゆとりを持たせるよう構成しているので、スタンド本体の歪みの防止を図れる。
【００８９】
また、固定板をスタンド本体に嵌め込むことにより、スタンド本体にかかる力が均等に四方に広がるため、安定性を保つことができる。固定板に形成される十文字状の形態保持機構は、中心部を若干広めにすることで、スタンド本体の歪みの防止を図れるものである。
【００９０】
ところで、図１８及び図１９は、前述図１乃至図１４に示す一実施形態の変形例である。前述実施形態と同一要素及び機能には、同一番号を付して説明は省略し、変形部分について以下に説明する。
【００９１】
この変形例では、下端各支柱部の上部に切欠き部を形成してある。即ち、支柱部１０１の上部には切欠き部１０１ｃが、支柱部１０２の上部には切欠き部１０２ｃが、支柱部１０３の上部には切欠き部１０３ｃが、支柱部１０４の上部には切欠き部１０４ｃが、支柱部１０５の上部には切欠き部１０５ｃが、支柱部１０６の上部には切欠き部１０６ｃが、支柱部１０７の上部には切欠き部１０７ｃが、そして支柱部１０８の上部には切欠き部１０８ｃが形成されている。各切欠き部は全て同じ高さではあるがスタンド本体１００が組み立てられた際に中間部位が上下端部位より内方に指向するよう形成されてあり、支柱部がスタンド本体１００として組み立てられると、切欠き部の底辺部は図１９に示すように各スリット部と略同一平面上に位置するよう形成されている。而して、切欠き部には、スポンジ状のピン受け部材５００が着脱自在に装着されるよう構成されている。
【００９２】
このように構成すると、スタンド本体１００に載置されたかつらをピンによりピン受け部５００に対して留めることができ、確実に安定した載置が実現できるものである。本変形例は、図１４乃至図１７に示す他の実施形態は勿論、本発明に係るかつらスタンドに適用できるものである。
【産業上の利用可能性】
【００９３】
本発明のかつらスタンドは、従来に比べて著しく頑丈なスタンドを実現することができ、しかも、例えば厚さが０．８ｍｍ未満の反発特性を有するＰＰ製の素材を使用することにより組み立て分解特性に優れ且つ製造コストを低減することができるので、かつらや帽子などの変形し易い収納物だけでなく、様々な対象物を収納するスタンドとして使用することができるため、今後ますます市場の拡大が期待できる。
【符号の説明】
【００９４】
１００    スタンド本体
１０１    支柱Ａ左部（支柱部）
１０１Ａ  折り目
１０１ｂ  脚部
１０１ｃ  切欠き部
１０２    支柱Ａ右部（支柱部）
１０２Ａ  折り目
１０２ｂ  脚部
１０２ｃ  切欠き部
１０３    支柱Ｂ左部（支柱部）
１０３Ａ  折り目
１０３ｂ  脚部
１０３ｃ  切欠き部
１０４    支柱Ｂ右部（支柱部）
１０４Ａ  折り目
１０４ｂ  脚部
１０４ｃ  切欠き部
１０５    支柱Ｃ左部（支柱部）
１０５Ａ  折り目
１０５ｂ  脚部
１０５ｃ  切欠き部
１０６    支柱Ｃ右部（支柱部）
１０６Ａ  折り目
１０６ｃ  切欠き部
１０７    支柱Ｄ左部（支柱部）
１０７Ａ  折り目
１０７ｂ  脚部
１０７ｃ  切欠き部
１０８    支柱Ｄ右部（支柱部）
１０８ｂ  脚部
１０８ｃ  切欠き部
１０９    支柱Ａ左部リング受けスリット部
１１０    支柱Ａ右部リング受けスリット部
１１１    支柱Ｂ左部リング受けスリット部
１１２    支柱Ｂ右部リング受けスリット部
１１３    支柱Ｃ左部リング受けスリット部
１１４    支柱Ｃ右部リング受けスリット部
１１５    支柱Ｄ左部リング受けスリット部
１１６    支柱Ｄ右部リング受けスリット部
１１７    支柱Ａ左部リング受け穴部
１１８    支柱Ａ右部〜支柱Ｂ左部間リング受け穴部
１１９    支柱Ｂ右部〜支柱Ｃ左部間リング受け穴部
１２０    支柱Ｃ右部〜支柱Ｄ左部間リング受け穴部
１２１    支柱Ｄ右部リング受け部
１２２    支柱Ａ左部リング受け突起部
１２３    支柱Ａ上部ロックつめ受け穴部
１２４    支柱Ａ下部ロックつめ受け穴部
１２５    支柱Ｂロックつめ
１２６    支柱Ｃロックつめ受け穴部
１２７    支柱Ｄ上部ロックつめ
１２８    支柱Ｄ下部ロックつめ
１２９    支柱Ａ左部固定スリット部
１３０    支柱Ａ右部固定スリット部
１３１    支柱Ｂ左部固定スリット部
１３２    支柱Ｂ右部固定スリット部
１３３    支柱Ｃ左部固定スリット部
１３４    支柱Ｃ右部固定スリット部
１３５    支柱Ｄ左部固定スリット部
１３６    支柱Ｄ右部固定スリット部
１４１    支柱Ａ〜支柱Ｂ上部接続部（折り目）
１４２    支柱Ｂ〜支柱Ｃ上部接続部（折り目）
１４３    支柱Ｃ〜支柱Ｄ上部接続部（折り目）
１４４    支柱Ａ〜支柱Ｂ下部接続部（折り目）
１４５    支柱Ｂ〜支柱Ｃ下部接続部（折り目）
１４６    支柱Ｃ〜支柱Ｄ下部接続部（折り目）
１４７    支柱Ａ底部凹み部
１４８    支柱Ｂ底部凹み部
１４９    支柱Ｃ底部凹み部
１５０    支柱Ｄ底部凹み部
１６０    第１固定板
１６１    第１固定板形態保持溝
１６２    第１固定板クリップ受け穴部
１６３    第２固定板
１６４    第２固定板形態保持溝
１７０    台座部
１７０ａ  上面部
１７０ｂ  内側面部
１７０ｃ  外側面部
１７０ｄ  底面部
１７０ｅ  側面蝶番部
１７１    スタンド受け機構部
１７１ａ  スタンド受けスリット部
１７１ｂ  スタンド受けロック溝受け部
１７１ｃ  スタンド受け保持スリット部
１７１ｄ  スタンド受け保持スリット端部
１７２    上面ガイドつめ受けスリット部
１７３    内側面ホック用リブ
１７４    側面ホック
１７５    側面ホック台座部
１７６    外側面つめ
１７７    外側面つめロック部
１７８    内側面つめ受け部
１７９    内側面ホック用リブロック部
１８０    ケース体
１８１    上蓋
１８２    下蓋
１８３    側面部
１８４    溶着部
１８５    上蓋正面つめ
１８６    上蓋つめ
１８７    上蓋つめロック部
１８８    上蓋ハンドル用穴部
１８９    下蓋つめガイド部
１９０    下蓋正面つめ受け部
１９１    下蓋ハンドル用穴部
１９２    側面上リブ
１９３    側面上リブ部蓋つめ受け部
１９４    側面台座ホックガイド部
１９５    側面ホック
１９６    ハンドル（把手部）
２００    補助部材
２０１    ガイド側面部
２０２    ガイド側面溶着部
２０３    ガイド上部リブ
２０４    ガイド台座用つめ
３００    スタンド本体
３０１    支柱Ａ左部（支柱部）
３０１Ａ  折り目
３０１ｂ  脚部
３０２    支柱Ａ右部（支柱部）
３０２Ａ  折り目
３０２ｂ  脚部
３０３    支柱Ｂ左部（支柱部）
３０３Ａ  折り目
３０３ｂ  脚部
３０４    支柱Ｂ右部（支柱部）
３０４Ａ  折り目
３０４ｂ  脚部
３０５    支柱Ｃ左部（支柱部）
３０５Ａ  折り目
３０５ｂ  脚部
３０６    支柱Ｃ右部（支柱部）
３０６ｂ  脚部
３０７    支柱Ａ左部リング受けスリット部
３０８    支柱Ａ右部リング受けスリット部
３０９    支柱Ｂ左部リング受けスリット部
３１０    支柱Ｂ右部リング受けスリット部
３１１    支柱Ｃ左部リング受けスリット部
３１２    支柱Ｃ右部リング受けスリット部
３１３    支柱Ａ左部リング受け穴部
３１４    支柱Ａ右部〜支柱Ｂ左部間リング受け穴部
３１５    支柱Ｂ右部〜支柱Ｃ左部間リング受け穴部
３１６    支柱Ｃ右部リング受け部
３１７    支柱Ａ左部リング受け突起部
３１８    支柱Ａ上部ロックつめ受け穴部
３１９    支柱Ａ下部ロックつめ受け穴部
３２０    支柱Ｂロックつめ
３２１    支柱Ｃロックつめ
３２２    支柱Ａ左部固定スリット部
３２３    支柱Ａ右部固定スリット部
３２４    支柱Ｂ左部固定スリット部
３２５    支柱Ｂ右部固定スリット部
３２６    支柱Ｃ左部固定スリット部
３２７    支柱Ｃ右部固定スリット部
３２８    支柱Ａ〜支柱Ｂ上部接続部（折り目）
３２９    支柱Ｂ〜支柱Ｃ上部接続部（折り目）
３３０    支柱Ａ〜支柱Ｂ下部接続部（折り目）
３３１    支柱Ｂ〜支柱Ｃ下部接続部（折り目）
３３２    支柱Ａ底部凹み部
３３３    支柱Ｂ底部凹み部
３３４    支柱Ｃ底部凹み部
３４０    第１固定板
３４１    第１固定板形態保持溝
３４２    第１固定板クリップ受け穴部
３５０    第２固定板
３５１    第２固定板形態保持溝
４００    台座部
４００ａ  上面部
４００ｂ  内側面部
４００ｃ  外側面部
４００ｄ  底面部
４００ｅ  側面蝶番部
４０１    スタンド受け機構部
４０１ａ  スタンド受けスリット部
４０１ｂ  スタンド受けロック溝受け部
４０１ｃ  スタンド受け保持スリット部
４０１ｄ  スタンド受け保持スリット端部
４０２    上面ガイドつめ受けスリット部
４０３    内側面ホック用リブ
４０４    側面ホック
４０５    側面ホック台座部
４０６    外側面つめ
４０７    外側面つめロック部
４０８    内側面つめ受け部
４０９    内側面ホック用リブロック部
５００    ピン受け部
【図１】
0005835605.tif 000002
【図２】
0005835605.tif 000003
【図３】
0005835605.tif 000004
【図４】
0005835605.tif 000005
【図５】
0005835605.tif 000006
【図６】
0005835605.tif 000007
【図７】
0005835605.tif 000008
【図８】
0005835605.tif 000009
【図９】
0005835605.tif 000010
【図１０】
0005835605.tif 000011
【図１１】
0005835605.tif 000012
【図１２】
0005835605.tif 000013
【図１３】
0005835605.tif 000014
【図１４】
0005835605.tif 000015
【図１５】
0005835605.tif 000016
【図１６】
0005835605.tif 000017
【図１７】
0005835605.tif 000018
【図１８】
0005835605.tif 000019
【図１９】
0005835605.tif 000020